(57)【要約】【課題】一方の電線と他方の電線を簡便に接続する中継用コネクタを提供する。【解決手段】コネクタ１００は、一方の電線１ｗの端末を結線する第１コンタクト１１と他方の電線２ｗの端末を結線する第２コンタクト１２とを接続する。コネクタ１００は、棒状の第１ハウジング２１を備える。第１ハウジング２１は、第１収容室２１１と第２収容室２１２を有する。第１収容室２１１は、一方の端面を開口して第１コンタクト１１を収容する。第２収容室２１２は、他方の端面を開口して第２コンタクト１２を収容する。第１ハウジング２１は、第１収容室２１１と第２収容室２１２を連通すると共に、第１コンタクト１１と第２コンタクト１２とが内部で嵌合している。【選択図】図２
2010146753.tif 000002
【特許請求の範囲】
【請求項１】
一方の電線の端末を結線する第１コンタクトと他方の電線の端末を結線する第２コンタクトとを接続する中継用コネクタであって、
一方の端面を開口して前記第１コンタクトを収容する第１収容室、及び他方の端面を開口して前記第２コンタクトを収容する第２収容室を有する棒状の第１ハウジングを備え、
前記第１ハウジングは、前記第１収容室と前記第２収容室を連通すると共に、前記第１コンタクトと前記第２コンタクトとが内部で嵌合している中継用コネクタ。
【請求項２】
前記第１ハウジングは、前記第１収容室に収容された前記第１コンタクトを係止する第１ハウジングランスと、前記第２収容室に収容された前記第２コンタクトを係止する第２ハウジングランスと、を有する請求項１記載の中継用コネクタ。
【請求項３】
前記第１ハウジングを連設する請求項１又は２記載の中継用コネクタ。
【請求項４】
一方の電線の端末を結線する第３コンタクトと他方の電線の端末を結線する第４コンタクトとを接続する中継用コネクタであって、
一方の端面を開口して前記第３コンタクトを収容する第３収容室、及び他方の端面を開口して前記第４コンタクトを収容する第４収容室を有する棒状の第２ハウジングと、
前記第３収容室と前記第４収容室を隔てる隔壁に配置され、一方の端部が前記第３収容室に突出して前記第３コンタクトに接続すると共に、他方の端部が前記第４収容室に突出して前記第４コンタクトに接続する中継端子と、を備える中継用コネクタ。
【請求項５】
前記第２ハウジングは、前記第３収容室に収容された前記第３コンタクトを係止する第３ハウジングランスと、前記第４収容室に収容された前記第４コンタクトを係止する第４ハウジングランスと、を有する請求項４記載の中継用コネクタ。
【請求項６】
前記第２ハウジングを連設する請求項４又は５記載の中継用コネクタ。
【請求項７】
前記第１ハウジングを収容する筒状の第１防水ケースを更に備え、
前記第１防水ケースは、一端面が開口されて前記第１コンタクトを挿入可能な第１開口と、一端部の外周に設ける第１雄ねじ部と、他端面が開口されて前記第２コンタクトを挿入可能な第２開口と、他端部の外周に設ける第２雄ねじ部と、を有し、
前記一方の電線は、
当該一方の電線の被覆を封止すると共に前記第１開口を密閉する第１シールリングと、
前記第１雄ねじ部に螺合して前記第１シールリングを前記第１開口に密着させる第１キャップと、を有し、
前記他方の電線は、
当該他方の電線の被覆を封止すると共に前記第２開口を密閉する第２シールリングと、
前記第２雄ねじ部に螺合して前記第２シールリングを前記第２開口に密着させる第２キャップと、を有する請求項１又は２記載の中継用コネクタ。
【請求項８】
前記一方の電線は、
前記第１シールリングに装着して外周に複数のすり割りを設ける第１クランプリングであって、前記第１キャップが前記第１雄ねじ部に螺合すると内周を縮径して前記第１シールリングを当該一方の電線の被覆に密着させる第１クランプリングを更に有し、
前記他方の電線は、
前記第２シールリングに装着して外周に複数のすり割りを設ける第２クランプリングであって、前記第２キャップが前記第２雄ねじ部に螺合すると内周を縮径して前記第２シールリングを当該他方の電線の被覆に密着させる第２クランプリングを更に有する請求項７記載の中継用コネクタ。
【請求項９】
前記第２ハウジングを収容する筒状の第２防水ケースを更に備え、
前記第２防水ケースは、一端面が開口されて前記第３コンタクトを挿入可能な第３開口と、一端部の外周に設ける第３雄ねじ部と、他端面が開口されて前記第４コンタクトを挿入可能な第４開口と、他端部の外周に設ける第４雄ねじ部と、を有し、
前記一方の電線は、
当該一方の電線の被覆を封止すると共に前記第３開口を密閉する第３シールリングと、
前記第３雄ねじ部に螺合して前記第３シールリングを前記第３開口に密着させる第３キャップと、を有し、
前記他方の電線は、
当該他方の電線の被覆を封止すると共に前記第４開口を密閉する第４シールリングと、
前記第４雄ねじ部に螺合して前記第４シールリングを前記第４開口に密着させる第４キャップと、を有する請求項４又は５記載の中継用コネクタ。
【発明の詳細な説明】
【技術分野】
【０００１】
本発明は、中継用コネクタに関する。特に、ボード、パネル、フレームなどに固定することなく電線と電線を接続する中継用コネクタの構造に関する。
【背景技術】
【０００２】
一般に、中継用コネクタは、第１コネクタと第２コネクタが相互に嵌合するように構成されている。第１コネクタは、一方の電線の端末を結線する第１コンタクトを保持する第１ハウジングを備えてよく、第２コネクタは、他方の電線の端末を結線する第２コンタクトを保持する第２ハウジングを備えてよく、第１コンタクトと第２コンタクト、及び第１ハウジングと第２ハウジングが相互に嵌合して、一方の電線と他方の電線を電気的に接続できる。
【０００３】
上述したような中継用コネクタとしては、雌型コネクタと雄型コネクタとの嵌合時のガタ付きを無くすと共に、嵌合完了を明確に感知できるコネクタの嵌合構造が開示されている（例えば、特許文献１参照）。
【０００４】
特許文献１による中継用コネクタは、第１ハウジング内にコネクタ端子を設けた雌型コネクタと、第２ハウジング内にコネクタ端子を設けた雄型コネクタとが嵌合することで、第１ハウジングに設けた係止用ロック部が第２ハウジングに設けた嵌合用ロックホールに係止されるようにコネクタを構成している。
【０００５】
そして、雌型コネクタを構成する第１ハウジングの側壁から突出するボス部を設け、雌型コネクタに相手の雄型コネクタを嵌合する際に、雄型コネクタを構成する第２ハウジングに設けた嵌合部をボス部により弾性変形させることで、第１ハウジングと第２ハウジングとの隙間をなくすと共に、嵌合時に節度感を得るように構成している。
【特許文献１】特開平９−３０６５９２号公報
【発明の開示】
【発明が解決しようとする課題】
【０００６】
特許文献１による中継用コネクタのみならず、一般に、中継用コネクタは、一組のハウジングが相互に嵌合することで、一方の電線と他方の電線を電気的に接続している。又、一般的な中継用コネクタは、一組のハウジングが容易に離間しないように、ロック機構を設けている。
【０００７】
ここで、一組のハウジングを共有するように中継用コネクタを構成すれば、ロック機構を設ける必要も無くなる。又、一組のハウジングを共有するように中継用コネクタを構成すれば、各ハウジングにコンタクトを装着する作業も省略できる。つまり、一方の電線と他方の電線を簡便に接続できる新たな中継用コネクタが求められている。そして、以上のことが本発明の課題といってよい。
【０００８】
本発明は、このような問題に鑑みてなされたものであり、一方の電線と他方の電線を電気的に接続する中継用コネクタであって、一方の電線と他方の電線を簡便に接続可能な中継用コネクタを提供することを目的とする。
【課題を解決するための手段】
【０００９】
本発明者は、中継用コネクタを相互に嵌合可能な一組のコンタクトを棒状のハウジングに装着可能な構成とすることにより、上記の課題が解決可能なことを見出し、これに基づいて、以下のような新たな中継用コネクタを発明するに至った。
【００１０】
（１）  一方の電線の端末を結線する第１コンタクトと他方の電線の端末を結線する第２コンタクトとを接続する中継用コネクタであって、一方の端面を開口して前記第１コンタクトを収容する第１収容室、及び他方の端面を開口して前記第２コンタクトを収容する第２収容室を有する棒状の第１ハウジングを備え、前記第１ハウジングは、前記第１収容室と前記第２収容室を連通すると共に、前記第１コンタクトと前記第２コンタクトとが内部で嵌合している中継用コネクタ。
【００１１】
（１）の発明による中継用コネクタは、第１コンタクトと第２コンタクトとを接続する。第１コンタクトは、一方の電線の端末を結線している。又、第２コンタクトは、他方の電線の端末を結線している。
【００１２】
（１）の発明による中継用コネクタは、棒状の第１ハウジングを備えている。第１ハウジングは、第１収容室と第２収容室を有している。第１収容室は、第１ハウジングの一方の端面を開口しており、第１コンタクトを収容する。第２収容室は、第１ハウジングの他方の端面を開口しており、第２コンタクトを収容する。
【００１３】
そして、第１ハウジングは、第１収容室と第２収容室が連通している。又、第１コンタクトと第２コンタクトとが内部で嵌合している。
【００１４】
ここで、電線は、電流の流れる導線とこの導線が人体などに接触しないように絶縁する被覆とで構成してよく、導線は、一本の導線からなる「単線」、又は複数の細線をより合わせた「より線」のいずれか一方を含むことができる。更に、電線は、一対の導線が相互に短絡しないように被覆する複線（ケーブル）を含むこともできる。一方の電線と他方の電線とは、種類が異なっていてもよく、種類が同じであってもよい。
【００１５】
電線の端末を結線するとは、圧着により電線の端末を結線する態様を含んでよく、又、圧接により電線の端末を結線する態様を含むこともができる。つまり、第１及び第２コンタクトは、圧着コンタクト又は圧接コンタクトのいずれか一方を含むことができる。
【００１６】
第１コンタクトと第２コンタクトは、双方が圧着コンタクトであってよく、双方が圧接コンタクトであってよく、いずれか一方が圧着コンタクト又は圧接コンタクトであってよく、いずれの組合せも本発明の範囲に含まれる。
【００１７】
圧着コンタクトは、そのターミナルエンドに電線の被覆を圧着により保持するインシュレーショングリップを設けてよく、電線の導線を圧着により保持するコンダクタバレルを設けている。インシュレーショングリップ及びコンダクタバレルは、圧着する前にＵ字状に開いた形状のオープンクリンプバレル、又は圧着する前に閉じた形状をしたクローズドクリンプバレルのいずれか一方を含むことができる。
【００１８】
例えば、第１コンタクトは、めすコンタクトの中に入り、その外面で電気的接続をするおすコンタクトであってよく、おすコンタクトは、ピンコンタクト又はタブコンタクトのいずれか一方を含むことができる。
【００１９】
一方、第２コンタクトは、おすコンタクトを受入れて、その内面で電気的接続をするめすコンタクトであってよく、めすコンタクトは、ピンコンタクトと嵌合する筒状のソケットコンタクト、又はタブコンタクトと接続する箱状のリセプタクルコンタクトのいずれか一方を含むことができる。
【００２０】
なお、第１コンタクトと第２コンタクトとは、便宜的に区別しており、第１コンタクトがめすコンタクトであって、第２コンタクトがおすコンタクトであってもよい。第１コンタクトと第２コンタクトは、おすコンタクトとめすコンタクトの組合せであればよく、便宜上の区別で特定されない。
【００２１】
第１及び第２コンタクトは導電性を有しており、例えば、タブコンタクト又はリセプタクルコンタクトは、導電性の金属板を打ち抜き加工又は折り曲げ加工して、所望の形状の導電性のコンタクトを得ることができる。コンタクトは加工の容易性や、導電性などを考慮すれば、例えば、銅合金が好ましく用いられるが、銅合金に限定される訳ではない。
【００２２】
第１ハウジングは絶縁性を有している。絶縁性のハウジングとは、非導電性の材料からなるハウジングのことであってよく、合成樹脂を成形して、所望の形状の絶縁性のハウジングを得ることができる。
【００２３】
棒状の第１ハウジングとは、丸棒状の形状を含むことができ、角棒状の形状を含むことができ、両端部が丸棒状であって中央部が角棒状である混在した棒状の形状を含むことができる。第１ハウジングは、その伸長方向と略直交して相反する向きに向かう両端面を形成する棒状の形状であるものを全て含むことができる。
【００２４】
第１収容室は、第１ハウジングの一方の端面が開口されて、この開口に第１コンタクトが挿入されて、第１コンタクトが収容される。同様に、第２収容室は、第１ハウジングの他方の端面が開口されて、この開口に第２コンタクトが挿入されて、第２コンタクトが収容される。
【００２５】
第１収容室又は第２収容室は、第１コンタクト又は第２コンタクトを保持又は収納する場所を含む空間であってよく、第１ハウジングの内部に形成されるものを含んでいる。第１収容室又は第２収容室は、第１コンタクト又は第２コンタクトの全て及び電線の一部が挿入、保持、収納などにより配置されており、コンタクトの形状に対応して適宜な収容空間が形成されることが好ましい。
【００２６】
コンタクトを収容室に収容するとは、コンタクトを収容室に着脱容易に収容する態様を含むことができ、コンタクトを収容室に挿入して固定することは容易であるが、収容室からコンタクトを抜去することが困難な、いわゆる「はめ殺し」の態様を含むことができ、コンタクト又はハウジングのいずれか一方にランスを設けて、コンタクトを収容室に収容する態様を含むことができる。
【００２７】
第１収容室又は第２収容室に第１コンタクト又は第２コンタクトが収容されることによって、物理的にも視覚的にも第１及び第２コンタクトが遮蔽され、人体などに接触しないように、又は金属部材に接触してショートしないように第１及び第２コンタクトを絶縁できる。
【００２８】
第１収容室と第２収容室とが連通するとは、第１収容室と第２収容室とを隔離する隔壁を設けず、第１収容室と第２収容室とが全て連通する態様を含むことができ、第１収容室と第２収容室とを隔離する隔壁に開口を設けて、第１収容室と第２収容室の一部が連通する態様を含むことができる。
【００２９】
第１コンタクトと２コンタクトとが内部で嵌合するとは、例えば、ピンコンタクトの先端部が隔壁に設けた開口を越えて、相手側の収容室に収容したソケットコンタクトに嵌合する態様を含むことができ、タブコンタクトの先端部が隔壁に設けた開口を越えて、相手側の収容室に収容したリセプタクルコンタクトに嵌合する態様を含むことができる。
【００３０】
従来の中継用コネクタは、一方の電線と他方の電線を接続するに当たり、一方のハウジングに一方の電線を組み込み、他方のハウジングに他方の電線を組み込み、両者のコネクタを接続していた。
【００３１】
一方、（１）の発明による中継用コネクタは、一組のハウジングを共有するように構成しているので、ハウジングにコンタクトを装着する作業を少なくとも半減できる。又、（１）の発明による中継用コネクタは、一組のハウジングを共有するように構成しているので、ロック機構を設ける必要も無くなる。
【００３２】
このように、（１）の発明による中継用コネクタは、一方の電線と他方の電線を電気的に接続する中継用コネクタであって、一方の電線と他方の電線を簡便に接続できる。
【００３３】
（２）  前記第１ハウジングは、前記第１収容室に収容された前記第１コンタクトを係止する第１ハウジングランスと、前記第２収容室に収容された前記第２コンタクトを係止する第２ハウジングランスと、を有する（１）記載の中継用コネクタ。
【００３４】
ハウジングランスは、ハウジングに設けた槍状の突起であって、コンタクトをハウジングに固定できる。例えば、第１及び第２ハウジングランスは、第１及び第２収容室の内部に片持ち状に傾斜した傾斜片の先端部に鉤片を有し、第１及び第２コンタクトに設けた係止穴又は係止片に鉤片を係止させて、第１及び第２コンタクトを第１及び第２収容室に固定できる。ハウジングランスに代えて、コンタクトランスを第１及び第２コンタクトに設けてもよく、例えば、ハウジングに設けた係止穴にコンタクトランスを係止して、第１及び第２コンタクトをハウジングに固定できる。
【００３５】
適宜な工具を用いて、第１及び第２ハウジングランスを変形することにより、第１及び第２コンタクトを第１ハウジングから解放できる。ハウジングランスは、コンタクトを速やかに挿入できて係止され、コンタクトの脱落を防止できる。
【００３６】
（３）  前記第１ハウジングを連設する（１）又は（２）記載の中継用コネクタ。
【００３７】
（３）の発明による中継用コネクタは、第１及び第２コンタクトの挿入方向が略平行となるように、第１ハウジングを一列に連設してよく、第１ハウジングを２列に連設してよく、第１ハウジングを縦横に連設してもよい。ハウジングランスを設けて、第１及び第２コンタクトを第１ハウジングから解放するためには、ハウジングランスが外壁となるように、第１ハウジングを一列又は二列に連設することが好ましい。
【００３８】
（４）  一方の電線の端末を結線する第３コンタクトと他方の電線の端末を結線する第４コンタクトとを接続する中継用コネクタであって、一方の端面を開口して前記第３コンタクトを収容する第３収容室、及び他方の端面を開口して前記第４コンタクトを収容する第４収容室を有する棒状の第２ハウジングと、前記第３収容室と前記第４収容室を隔てる隔壁に配置され、一方の端部が前記第３収容室に突出して前記第３コンタクトに接続すると共に、他方の端部が前記第４収容室に突出して前記第４コンタクトに接続する中継端子と、を備える中継用コネクタ。
【００３９】
（４）の発明による中継用コネクタは、第３コンタクトと第４コンタクトとを接続する。第３コンタクトは、一方の電線の端末を結線している。又、第４コンタクトは、他方の電線の端末を結線している。
【００４０】
（４）の発明による中継用コネクタは、棒状の第２ハウジングと中継端子を備えている。第２ハウジングは、第３収容室と第４収容室を有している。第３収容室は、第２ハウジングの一方の端面を開口しており、第３コンタクトを収容する。第４収容室は、第２ハウジングの他方の端面を開口しており、第４コンタクトを収容する。
【００４１】
中継端子は、第３収容室と第４収容室を隔てる隔壁に配置されている。そして、中継端子の一方の端部が第３収容室に突出して、第３コンタクトに接続できる。又、中継端子の他方の端部が第４収容室に突出して、第４コンタクトに接続できる。
【００４２】
（４）の発明による中継用コネクタは、第１コンタクトと第２コンタクトがおすコンタクトとめすコンタクトの組合せに特定されたのに対して、第３コンタクトと第４コンタクトの双方がめすコンタクト同士の組合せに特定される、という違いがある。
【００４３】
例えば、第３及び第４コンタクトは、筒状のソケットコンタクト、又は箱状のリセプタクルコンタクトのいずれか一方を含むことができる。第３コンタクトと第４コンタクトとは、形状の異なるソケットコンタクトであってもよく、形状が同じのソケットコンタクトであってもよい。又、第３コンタクトと第４コンタクトとは、形状の異なるリセプタクルコンタクトであってもよく、形状が同じのリセプタクルコンタクトであってもよい。
【００４４】
更に、第３コンタクトと第４コンタクトとは、一方がソケットコンタクトであって、他方がリセプタクルコンタクトであってもよい。双方がめすコンタクトの組合せからなる中継用コネクタは、（３）の発明に全て含まれる。
【００４５】
例えば、第３コンタクトと第４コンタクトの双方がソケットコンタクトの場合は、中継端子は、ピン状又はポスト状の形状が考えられる。ピン状の中継端子は、第３収容室と第４収容室を隔てる隔壁に圧入されて固定（配置）されてよく、ピン状の中継端子の一方の端部が第３収容室に突出して、第３コンタクトに接続できる。又、ピン状の中継端子の他方の端部が第４収容室に突出して、第４コンタクトに接続できる。
【００４６】
一方、第３コンタクトと第４コンタクトの双方がリセプタクルコンタクトの場合は、中継端子は、平板状又はブレード状の形状が考えられる。平板状の中継端子は、第３収容室と第４収容室を隔てる隔壁に圧入されて固定（配置）されてよく、ブレード状の中継端子の一方の端部が第３収容室に突出して、第３コンタクトに接続できる。又、ブレード状の中継端子の他方の端部が第４収容室に突出して、第４コンタクトに接続できる。
【００４７】
（４）の発明による中継用コネクタは、一組のハウジングを共有するように構成しているので、ハウジングにコンタクトを装着する作業を少なくとも半減できる。又、（４）の発明による中継用コネクタは、一組のハウジングを共有するように構成しているので、ロック機構を設ける必要も無くなる。
【００４８】
このように、（４）の発明による中継用コネクタは、一方の電線と他方の電線を電気的に接続する中継用コネクタであって、一方の電線と他方の電線を簡便に接続できる。
【００４９】
（５）  前記第２ハウジングは、前記第３収容室に収容された前記第３コンタクトを係止する第３ハウジングランスと、前記第４収容室に収容された前記第４コンタクトを係止する第４ハウジングランスと、を有する（４）記載の中継用コネクタ。
【００５０】
（６）  前記第２ハウジングを連設する（４）又は（５）記載の中継用コネクタ。
【００５１】
（６）の発明による中継用コネクタは、第３及び第４コンタクトの挿入方向が略平行となるように、第２ハウジングを一列に連設してよく、第２ハウジングを２列に連設してよく、第２ハウジングを縦横に連設してもよい。ハウジングランスを設けて、第３及び第４コンタクトを第２ハウジングから解放するためには、ハウジングランスが外壁となるように、第２ハウジングを一列又は二列に連設することが好ましい。
【００５２】
（７）  前記第１ハウジングを収容する筒状の第１防水ケースを更に備え、前記第１防水ケースは、一端面が開口されて前記第１コンタクトを挿入可能な第１開口と、一端部の外周に設ける第１雄ねじ部と、他端面が開口されて前記第２コンタクトを挿入可能な第２開口と、他端部の外周に設ける第２雄ねじ部と、を有し、前記一方の電線は、当該一方の電線の被覆を封止すると共に前記第１開口を密閉する第１シールリングと、前記第１雄ねじ部に螺合して前記第１シールリングを前記第１開口に密着させる第１キャップと、を有し、前記他方の電線は、当該他方の電線の被覆を封止すると共に前記第２開口を密閉する第２シールリングと、前記第２雄ねじ部に螺合して前記第２シールリングを前記第２開口に密着させる第２キャップと、を有する（１）又は（２）記載の中継用コネクタ。
【００５３】
（７）の発明による中継用コネクタは、第１ハウジングを収容する筒状の第１防水ケースを更に備えている。第１防水ケースは、第１開口と第１雄ねじ部を有している。又、第１防水ケースは、第２開口と第２雄ねじ部を有している。
【００５４】
第１開口は、第１防水ケースの一端面が開口されて、第１コンタクトを挿入可能となっている。第１雄ねじ部は、第１防水ケースの一端部の外周に設けている。第２開口は、第１防水ケースの他端面が開口されて、第２コンタクトを挿入可能となっている。第２雄ねじ部は、第１防水ケースの他端部の外周に設けている。
【００５５】
又、（７）の発明による中継用コネクタは、一方の電線が第１シールリングと第１キャップを有している。第１シールリングは、一方の電線の被覆を封止すると共に、第１開口を密閉する。第１キャップは、第１雄ねじ部に螺合して、第１シールリングを第１開口に密着させる。
【００５６】
更に、（７）の発明による中継用コネクタは、他方の電線が第２シールリングと第２キャップを有している。第２シールリングは、他方の電線の被覆を封止すると共に、第２開口を密閉する。第２キャップは、第２雄ねじ部に螺合して、第２シールリングを第２開口に密着させる。
【００５７】
（７）の発明による中継用コネクタは、（１）又は（２）の発明による中継用コネクタを防水コネクタとすることができる。
【００５８】
（８）  前記一方の電線は、前記第１シールリングに装着して外周に複数のすり割りを設ける第１クランプリングであって、前記第１キャップが前記第１雄ねじ部に螺合すると内周を縮径して前記第１シールリングを当該一方の電線の被覆に密着させる第１クランプリングを更に有し、前記他方の電線は、前記第２シールリングに装着して外周に複数のすり割りを設ける第２クランプリングであって、前記第２キャップが前記第２雄ねじ部に螺合すると内周を縮径して前記第２シールリングを当該他方の電線の被覆に密着させる第２クランプリングを更に有する（７）記載の中継用コネクタ。
【００５９】
（９）  前記第２ハウジングを収容する筒状の第２防水ケースを更に備え、前記第２防水ケースは、一端面が開口されて前記第３コンタクトを挿入可能な第３開口と、一端部の外周に設ける第３雄ねじ部と、他端面が開口されて前記第４コンタクトを挿入可能な第４開口と、他端部の外周に設ける第４雄ねじ部と、を有し、前記一方の電線は、当該一方の電線の被覆を封止すると共に前記第３開口を密閉する第３シールリングと、前記第３雄ねじ部に螺合して前記第３シールリングを前記第３開口に密着させる第３キャップと、を有し、前記他方の電線は、当該他方の電線の被覆を封止すると共に前記第４開口を密閉する第４シールリングと、前記第４雄ねじ部に螺合して前記第４シールリングを前記第４開口に密着させる第４キャップと、を有する（４）又は（５）記載の中継用コネクタ。
【００６０】
（９）の発明による中継用コネクタは、第２ハウジングを収容する筒状の第２防水ケースを更に備えている。第２防水ケースは、第３開口と第３雄ねじ部を有している。又、第２防水ケースは、第４開口と第４雄ねじ部を有している。
【００６１】
第３開口は、第２防水ケースの一端面が開口されて、第３コンタクトを挿入可能となっている。第３雄ねじ部は、第２防水ケースの一端部の外周に設けている。第４開口は、第２防水ケースの他端面が開口されて、第４コンタクトを挿入可能となっている。第４雄ねじ部は、第２防水ケースの他端部の外周に設けている。
【００６２】
又、（９）の発明による中継用コネクタは、一方の電線が第３シールリングと第４キャップを有している。第３シールリングは、一方の電線の被覆を封止すると共に、第３開口を密閉する。第３キャップは、第３雄ねじ部に螺合して、第３シールリングを第３開口に密着させる。
【００６３】
更に、（９）の発明による中継用コネクタは、他方の電線が第４シールリングと第４キャップを有している。第４シールリングは、他方の電線の被覆を封止すると共に、第４開口を密閉する。第４キャップは、第４雄ねじ部に螺合して、第４シールリングを第４開口に密着させる。
【００６４】
（９）の発明による中継用コネクタは、（４）又は（５）の発明による中継用コネクタを防水コネクタとすることができる。
【発明の効果】
【００６５】
本発明による中継用コネクタは、一組のハウジングを共有するように構成しているので、ハウジングにコンタクトを装着する作業を少なくとも半減できる。又、本発明による中継用コネクタは、一組のハウジングを共有するように構成しているので、ロック機構を設ける必要も無くなる。
【００６６】
このように、本発明による中継用コネクタは、一方の電線と他方の電線を電気的に接続する中継用コネクタであって、一方の電線と他方の電線を簡便に接続できる。
【発明を実施するための最良の形態】
【００６７】
以下、図面を参照して本発明を実施するための最良の形態を説明する。
【００６８】
図１は、本発明による中継用コネクタ（以下、コネクタと略称する）の第１実施形態を示す斜視分解組立図である。図２は、前記第１実施形態によるコネクタの縦断面図である。図３は、本発明によるコネクタの第２実施形態を示す斜視分解組立図である。図４は、前記第２実施形態によるコネクタの外観を示す斜視図である。図５は、本発明によるコネクタの第３実施形態を示す斜視分解組立図である。図６は、前記第３実施形態によるコネクタの外観を示す斜視図である。
【００６９】
［第１実施形態］
最初に、本発明の第１実施形態によるコネクタの構成を説明する。図１又は図２を参照すると、第１実施形態によるコネクタ１００は、第１コンタクト１１と第２コンタクト１２を接続できる。第１コンタクト１１は、一方の電線１ｗの端末を結線している。第２コンタクト１２は、他方の電線２ｗの端末を結線している。
【００７０】
図１又は図２を参照すると、コネクタ１００は、棒状の第１ハウジング２１を備えている。第１ハウジング２１は、第１収容室２１１と第２収容室２１２を有している。第１収容室２１１は、第１ハウジング２１の一方の端面を開口しており、第１コンタクト１１を収容できる。第２収容室２１２は、第１ハウジング２１の他方の端面を開口しており、第２コンタクト１２を収容する。
【００７１】
図２を参照すると、第１ハウジング２１は、第１収容室２１１と第２収容室２１２とを隔離する隔壁２１３を設けている。隔壁２１３には、開口２１０を設けており、開口２１０が第１収容室２１１と第２収容室２１２とを連通している。そして、第１コンタクト１１と第２コンタクト１２とが第１ハウジング２１の内部で嵌合している。
【００７２】
図１又は図２を参照すると、第１コンタクト１１は、めすコンタクトの中に入り、その外面で電気的接続をするおすコンタクトであって、先端部にブレード状のタブ１１ａを設けるタブコンタクトとなっている。又、第１コンタクト１１は、そのターミナルエンドに電線１ｗの導線を圧着により保持するコンダクタバレル１１ｂを設ける圧着コンタクトとなっている。
【００７３】
又、図１又は図２を参照すると、第２コンタクト１２は、おすコンタクトを受入れて、その内面で電気的接続をするめすコンタクトであってよく、タブ１１ａと接続する箱状の接続部１２ａを設けるリセプタクルコンタクトとなっている。又、第２コンタクト１２は、そのターミナルエンドに電線２ｗの導線を圧着により保持するコンダクタバレル１２ｂを設ける圧着コンタクトとなっている。
【００７４】
図１又は図２を参照すると、第１ハウジング２１は、第１ハウジングランス２１ａと第２ハウジングランス２２ａを有している。第１ハウジングランス２１ａは、第１収容室２１１に収容された第１コンタクト１１を係止できる。第２ハウジングランス２２ａは、第２収容室２１２に収容された第２コンタクト１２を係止できる。
【００７５】
図１又は図２を参照すると、第１ハウジングランス２１ａは、第１収容室２１１の内部に片持ち状に傾斜した傾斜片の先端部に鉤片を有している。第１コンタクト１１を第１収容室２１１に挿入すると、第１コンタクト１１に設けた係止片１１ｃに鉤片を係止して、第１コンタクト１１を第１収容室２１１に保持できる。
【００７６】
又、図１又は図２を参照すると、第２ハウジングランス２２ａは、第２収容室２１２の内部に片持ち状に傾斜した傾斜片の先端部に鉤片を有している。第２コンタクト１２を第２収容室２１２に挿入すると、接続部１２ａに設けた係止穴１２ｃに鉤片を係止して、第２コンタクト１２を第２収容室２１２に保持できる。
【００７７】
次に、本発明の第１実施形態によるコネクタの作用を説明する。
【００７８】
図１又は図２を参照すると、第１収容室２１１に収容された第１コンタクト１１は、タブ１１ａが隔壁２１３に設けた開口２１０を越えて、第２収容室２１２に収容した接続部１２ａに嵌合している。
【００７９】
図１又は図２を参照すると、本発明の第１実施形態によるコネクタ１００は、第１コンタクト１１及び第２コンタクト１２を第１収容室２１１及び第２収容室２１２に収容することにより、物理的にも視覚的にも第１コンタクト１１及び第２コンタクト１２を遮蔽している。そして、コネクタ１００は、人体などに接触しないように、又は金属部材に接触してショートしないようにコンタクトを絶縁するコネクタ本来の機能を有している。
【００８０】
本発明の第１実施形態によるコネクタ１００は、一組のハウジングを共有するように構成しているので、ハウジングにコンタクトを装着する作業を少なくとも半減できる。又、本発明の第１実施形態によるコネクタ１００は、一組のハウジングを共有するように構成しているので、従来の中継用コネクタのように、ロック機構を設ける必要も無くなる。
【００８１】
このように、本発明の第１実施形態によるコネクタ１００は、一方の電線と他方の電線を電気的に接続する中継用コネクタであって、一方の電線と他方の電線を簡便に接続できる。
【００８２】
［第２実施形態］
次に、本発明の第２実施形態によるコネクタの構成を説明する。なお、以下の説明において、第１実施形態の説明で用いた符号と同じ符号の構成品は、その作用を同一とするので説明を割愛する場合がある。
【００８３】
図３又は図４を参照すると、第２実施形態によるコネクタ２００は、第１コンタクト１１と第２コンタクト１２を接続できる。第１コンタクト１１は、一方の電線１ｗの端末を結線している。第２コンタクト１２は、他方の電線２ｗの端末を結線している。
【００８４】
図３又は図４を参照すると、コネクタ２００は、棒状の第１ハウジング２１を備えている。又、コネクタ２００は、第１ハウジング２１を収容する筒状の第１防水ケース３１を備えている。
【００８５】
図３又は図４を参照すると、第１防水ケース３１は、第１開口３１ａと第１雄ねじ部３１ｂを有している。又、第１防水ケース３１は、第２開口３２ａと第２雄ねじ部３２ｂを有している。
【００８６】
図３又は図４を参照すると、第１開口３１ａは、第１防水ケース３１の一端面が開口されて、第１コンタクト１１を挿入可能となっている。第１雄ねじ部３１ｂは、第１防水ケース３１の一端部の外周に設けている。第２開口３２ａは、第１防水ケース３１の他端面が開口されて、第２コンタクト１２を挿入可能となっている。第２雄ねじ部３２ｂは、第１防水ケース３１の他端部の外周に設けている。
【００８７】
図３又は図４を参照すると、一方の電線１ｗは、第１シールリング４１と第１キャップ５１を有している。第１シールリング４１は、一方の電線１ｗの被覆を封止すると共に、第１開口３１ａを密閉する。第１キャップ５１は、第１雄ねじ部３１ｂに螺合して、第１シールリング４１を第１開口３１ａに密着させる。
【００８８】
図３又は図４を参照すると、他方の電線２ｗは、第２シールリング４２と第２キャップ５２を有している。第２シールリング４２は、他方の電線２ｗの被覆を封止すると共に、第２開口３２ａを密閉する。第２キャップ５２は、第２雄ねじ部３２ｂに螺合して、第２シールリング４２を第２開口３２ａに密着させる。
【００８９】
図３を参照すると、一方の電線１ｗは、第１クランプリング６１を有している。第１クランプリング６１は、外周に複数のすり割り６１ａを設けている。第１クランプリング６１は、第１シールリング４１に装着される。
【００９０】
図３において、第１キャップ５１を第１雄ねじ部３１ｂに螺合すると、第１クランプリング６１の内周を縮径して、第１シールリング４１を一方の電線１ｗの被覆に密着させることができる。
【００９１】
図３を参照すると、他方の電線２ｗは、第２クランプリング６２を有している。第２クランプリング６２は、外周に複数のすり割り６２ａを設けている。第２クランプリング６２は、第２シールリング４２に装着される。
【００９２】
図３において、第２キャップ５２を第２雄ねじ部３２ｂに螺合すると、第２クランプリング６２の内周を縮径して、第２シールリング４２を他方の電線２ｗの被覆に密着させることができる。
【００９３】
次に、本発明の第２実施形態によるコネクタの作用を説明する。
【００９４】
図３及び図４に示された第１防水ケース３１は、中央部が四角の筒状に形成されて、内部が第１開口３１ａ及び第２開口３２ａに貫通している。第１防水ケース３１は、第１ハウジング２１が円周方向に回転しないように、又、第１ハウジング２１が軸方向に容易に移動しないように保持している。
【００９５】
図３において、第１コンタクト１１及び第２コンタクト１２を第１収容室２１１及び第２収容室２１２に収容することにより、第１コンタクト１１と第２コンタクト１２を内部で嵌合できる。
【００９６】
図３において、第１キャップ５１を第１雄ねじ部３１ｂに締結すると、第１シールリング４１が第１開口３１ａを密閉すると共に、一方の電線１ｗの被覆に密着する。又、第２キャップ５２を第２雄ねじ部３２ｂに締結すると、第２シールリング４２が第２開口３２ａを密閉すると共に、他方の電線２ｗの被覆に密着する。
【００９７】
このように、本発明の第２実施形態によるコネクタ２００は、コネクタ１００を内部に液体が侵入困難な防水コネクタとしている。
【００９８】
［第３実施形態］
次に、本発明の第３実施形態によるコネクタの構成を説明する。なお、以下の説明において、第１実施形態の説明で用いた符号と同じ符号の構成品は、その作用を同一とするので説明を割愛する場合がある。
【００９９】
図５又は図６を参照すると、第３実施形態によるコネクタ３００は、第３コンタクト１３と第４コンタクト１４を接続できる。第３コンタクト１３は、一方の電線１ｗの端末を結線している。第４コンタクト１４は、他方の電線２ｗの端末を結線している。なお、第３コンタクト１３と第４コンタクト１４は、同じものであるが説明の便宜上、符号を変えて区別している。
【０１００】
図５を参照すると、コネクタ３００は、棒状の第２ハウジング７１とブレード状の中継端子８を備えている。第２ハウジング７１は、第３収容室７１３と第４収容室７１４を有している。第３収容室７１３は、第２ハウジング７１の一方の端面を開口しており、第３コンタクト１３を収容する。第４収容室７１４は、第２ハウジング７１の他方の端面を開口しており、第４コンタクト１４を収容する。
【０１０１】
なお、図５において、上段に第２ハウジング７１の外観を示し、下段に縦断面の第２ハウジング７１を示しているが、第２ハウジング７１の構造をわかり易くするためであり、実体として、第２ハウジング７１を二つで構成しているわけではない。
【０１０２】
図５を参照すると、第２ハウジング７１は、第３収容室７１３と第４収容室７１４とを隔離する隔壁７１５を設けている。中継端子８は、隔壁７１５に圧入されて固定されている。そして、中継端子８の一方の端部８１が第３収容室７１３に突出しており、第３コンタクト１３に接続できる。又、中継端子８の他方の端部８２が第４収容室７１４に突出しており、第４コンタクト１４に接続できる。
【０１０３】
図５を参照すると、第３コンタクト１３は、おすコンタクトを受入れて、その内面で電気的接続をするめすコンタクトであってよく、中継端子８の一方の端部８１と接続する箱状の接続部１３ａを設けるリセプタクルコンタクトとなっている。又、第３コンタクト１３は、そのターミナルエンドに電線１ｗの導線を圧着により保持するコンダクタバレル１３ｂを設ける圧着コンタクトとなっている。
【０１０４】
図５を参照すると、第４コンタクト１４は、おすコンタクトを受入れて、その内面で電気的接続をするめすコンタクトであってよく、中継端子８の他方の端部８２と接続する箱状の接続部１４ａを設けるリセプタクルコンタクトとなっている。又、第４コンタクト１４は、そのターミナルエンドに電線２ｗの導線を圧着により保持するコンダクタバレル１４ｂを設ける圧着コンタクトとなっている。
【０１０５】
図５を参照すると、第２ハウジング７１は、第３ハウジングランス７３ａと第４ハウジングランス７４ａを有している。第３ハウジングランス７３ａは、第３収容室７１３に収容された第３コンタクト１３を係止できる。第４ハウジングランス７４ａは、第４収容室７１４に収容された第４コンタクト１４を係止できる。
【０１０６】
図５を参照すると、第３ハウジングランス７３ａは、第３収容室７１３の内部に片持ち状に傾斜した傾斜片の先端部に鉤片を有している。第３コンタクト１３を第３収容室７１３に挿入すると、第３コンタクト１３に設けた係止穴１３ｃに鉤片を係止して、第３コンタクト１３を第３収容室７１３に保持できる。
【０１０７】
図５を参照すると、第４ハウジングランス７４ａは、第４収容室７１４の内部に片持ち状に傾斜した傾斜片の先端部に鉤片を有している。第４コンタクト１４を第４収容室７１４に挿入すると、第４コンタクト１４に設けた係止穴１４ｃに鉤片を係止して、第４コンタクト１４を第４収容室７１４に保持できる。
【０１０８】
次に、本発明の第３実施形態によるコネクタの作用を説明する。
【０１０９】
図５を参照すると、第３収容室７１３に収容された第３コンタクト１３は、隔壁７１５から突出した中継端子８の一方の端部８１に接続部１３ａが嵌合できる。一方、第４収容室７１４に収容された第４コンタクト１４は、隔壁７１５から突出した中継端子８の他方の端部８２に接続部１４ａが嵌合できる。
【０１１０】
本発明の第３実施形態によるコネクタ３００は、第１及び第２実施形態によるコネクタ１００・２００による第１コンタクト１１と第２コンタクト１２がおすコンタクトとめすコンタクトの組合せに特定されたのに対して、第３コンタクト１３と第４コンタクト１４の双方がめすコンタクト同士の組合せに特定される、という違いがある。
【０１１１】
図５を参照すると、本発明の第３実施形態によるコネクタ３００は、第３コンタクト１３及び第４コンタクト１４を第３収容室７１３及び第４収容室７１４に収容することにより、物理的にも視覚的にも第３コンタクト１３及び第４コンタクト１４を遮蔽している。そして、コネクタ３００は、人体などに接触しないように、又は金属部材に接触してショートしないようにコンタクトを絶縁するコネクタ本来の機能を有している。
【０１１２】
本発明の第３実施形態によるコネクタ３００は、一組のハウジングを共有するように構成しているので、ハウジングにコンタクトを装着する作業を少なくとも半減できる。又、本発明の第３実施形態によるコネクタ３００は、一組のハウジングを共有するように構成しているので、従来の中継用コネクタのように、ロック機構を設ける必要も無くなる。
【０１１３】
このように、本発明の第３実施形態によるコネクタ３００は、一方の電線と他方の電線を電気的に接続する中継用コネクタであって、一方の電線と他方の電線を簡便に接続できる。
【０１１４】
次に、本発明の第３実施形態によるコネクタの構成を更に説明する。図５又は図６を参照すると、コネクタ３００は、第２ハウジング７１を収容する筒状の第２防水ケース９１を備えている。第２防水ケース９１は、第３開口９３ａと第３雄ねじ部９３ｂを有している。又、第２防水ケース９１は、第４開口９４ａと第４雄ねじ部９４ｂを有している。
【０１１５】
図５を参照すると、第３開口９３ａは、第２防水ケース９１の一端面が開口されて、第３コンタクト１３を挿入可能となっている。第３雄ねじ部９３ｂは、第２防水ケース９１の一端部の外周に設けている。第４開口９４ａは、第２防水ケース９１の他端面が開口されて、第４コンタクト１４を挿入可能となっている。第４雄ねじ部９４ｂは、第２防水ケース９１の他端部の外周に設けている。
【０１１６】
図５又は図６を参照すると、一方の電線１ｗは、第３シールリング４３と第３キャップ５３を有している。第３シールリング４３は、一方の電線１ｗの被覆を封止すると共に、第３開口９３ａを密閉する。第３キャップ５３は、第３雄ねじ部９３ｂに螺合して、第３シールリング４３を第３開口９３ａに密着させる。
【０１１７】
次に、本発明の第３実施形態によるコネクタの作用を更に説明する。
【０１１８】
図５及び図６に示された第２防水ケース９１は、円筒状に形成されて、その内部が第３開口及び第４開口９４ａに貫通している。第２防水ケース９１は、第２ハウジング７１が円周方向に回転しないように、又、第２ハウジング７１が軸方向に容易に移動しないように保持している。
【０１１９】
図５において、第３コンタクト１３及び第４コンタクト１４を第３収容室７１３及び第４収容室７１４に収容することにより、中継端子８を介して第３コンタクト１３と第４コンタクト１４を内部で接続できる。
【０１２０】
図５において、第３キャップ５３を第３雄ねじ部９３ｂに締結すると、第３シールリング４３が第３開口９３ａを密閉する。なお、第３シールリング４３は、一方の電線１ｗの被覆に常時密着している。又、第４キャップ５４を第４雄ねじ部９４ｂに締結すると、第４シールリング４４が第４開口９４ａを密閉する。なお、第３シールリング４３は、他方の電線２ｗの被覆に常時密着している。
【０１２１】
このように、本発明の第３実施形態によるコネクタ３００は、第２ハウジング７１の内部に液体が侵入困難な防水コネクタとしている。
【図面の簡単な説明】
【０１２２】
【図１】本発明による中継用コネクタの第１実施形態を示す斜視分解組立図である。
【図２】前記第１実施形態による中継用コネクタの縦断面図である。
【図３】本発明による中継用コネクタの第２実施形態を示す斜視分解組立図である。
【図４】前記第２実施形態による中継用コネクタの外観を示す斜視図である。
【図５】本発明による中継用コネクタの第３実施形態を示す斜視分解組立図である。
【図６】前記第３実施形態による中継用コネクタの外観を示す斜視図である。
【符号の説明】
【０１２３】
１ｗ  電線（一方の電線）
２ｗ  電線（他方の電線）
１１  第１コンタクト
１２  第２コンタクト
２１  第１ハウジング
１００  コネクタ（中継用コネクタ）
２１１  第１収容室
２１２  第２収容室
【図１】
2010146753.tif 000003
【図２】
2010146753.tif 000004
【図３】
2010146753.tif 000005
【図４】
2010146753.tif 000006
【図５】
2010146753.tif 000007
【図６】
2010146753.tif 000008